(57)【特許請求の範囲】
【請求項１】
容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端一部より中央に向かって弾性係止板13を延設するとともに、該係止板先端部を下方へ凹ませて形成した押圧部13a により収納した書類を圧接係止させる如く構成した係止部材Ｂとからなるキャップ8aを設けてなることを特徴とする商品包装用容器。
【請求項２】
容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端縁部に取り出し口ｂ付き係止頂板14を一体に架設してなる係止部材B1とからなるキャップ8bを設けてなることを特徴とする商品包装用容器。
【発明の詳細な説明】
【０００１】
【発明の属する技術分野】
本発明は商品包装容器に関し、例えば、薬剤，薬液を包装する商品包装用容器に関する。
【０００２】
【従来の技術】
従来上記商品包装用容器は、通常合成樹脂製容器で形成するとともに、該容器を更に紙製の外箱内へ収納させて販売を行っている。
【０００３】
【発明が解決しようとする課題】
近時廃棄物の増大に伴い、その減量化が重視されている。そのためには上記容器等にあっても包装の簡易化が必要とされている。
上記容器にあっては外箱を除くことで包装の簡易化に寄与できるが、このようにするとたとえは効能書、或いは説明書等の収納場所に困ることとなる。
本発明は、上記実情に鑑み、外箱無しに効能書等の書類を収納することができ、しかもコンパクトに収納できて使用にも便利な商品包装用容器を提案するものである。
【０００４】
【課題を解決するための手段】
第１の手段として、容器体口頚部３外周に嵌合させた装着筒４を頂壁５裏面中央部より垂設するとともに、頂壁周縁部より垂設した周壁６と装着筒４との間を書類収納用の収納部ａとして構成し、且つ、装着筒４外面及び／又は周壁６内面に周方向間隔をあけて書類係止用の係止突片７を複数突設して収納部ａ内に書類を収納係止する如く構成したキャップ８を設けた。
【０００５】
第２の手段として、容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端一部より中央に向かって弾性係止板13を延設するとともに、該係止板先端部を下方へ凹ませて形成した押圧部13a により収納した書類を圧接係止させる如く構成した係止部材Ｂとからなるキャップ8aを設けた。
【０００６】
第３の手段として、容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端縁部に取り出し口ｂ付き係止頂板14を一体に架設してなる係止部材B1とからなるキャップ8bを設けた。
【０００７】
第４の手段として、容器体口頚部３外周に嵌合させた装着筒４上端より延設した頂壁５中央を下方へ凹ませて書類収納用の収納部ａを形成するとともに、該収納部を形成する側壁11上端一部に一端を回動可能に連結した可動係止板16の他端を、対向する側壁内面上端部に突設した係止突条17下面に離脱可能に係止させたキャップ8cを設けた。
【０００８】
【発明の実施の形態】
以下、本発明の実施例の形態を図面を参照して説明する。
図１及び図２は第１の手段の一実施例を示し、本実施例に於ける商品包装用容器１は、容器体２の口頚部３外周に螺着させた装着筒４を頂壁５裏面中央部より垂設するとともに、頂壁５周縁部より垂設した周壁６と装着筒４との間を書類収納用の収納部ａとして構成し、更に、周壁６内面に周方向間隔をあけて書類係止用の係止突片７を複数突設したキャップ８を設けている。各係止突片７は各々中心に向かい、その内側縁と装着筒４外面との間に説明書，効能書等の書類が挟持できる程度の幅をあけて突設しており、図２に示す如く、各係止突片７の内側縁と装着筒４外面とで書類９を挟持して収納部ａ内に書類を収納係止する如く構成している。この場合の書類９は、その大きさ等により、そのまま或いは折り畳んで収納係止させる。尚、図中10はパッキンを示す。
【０００９】
上記係止突片７は上記実施例の如く周壁６内面に設ける場合に限らず、例えば、図３に示す如く、装着筒４外面に周方向等間隔に複数突設しても良い。この場合には、各係止突片７の外側縁と周壁６の内面とで書類９を挟持して収納部ａ内に書類９を収納係止させる。
また、図４に示す如く、装着筒４外面及び周壁６内面にそれぞれ周方向等間隔に対向させてそれぞれ複数の係止突片７を突設させても良い。この場合には、相対向する係止突片７，７の各対向面相互で書類を挟持して収納部ａ内に書類９を収納係止させる。
【００１０】
上記装着筒４外面及び周壁６内面の両方に係止突片７を設ける場合は、図４の実施例の如き相対向する位置でなく、それぞれズレた位置に設けることも可能である。
【００１１】
上記の如く構成した容器１は、図１の状態からキャップ８を外せば、説明書等を取り外し使用でき、また、読み終わった説明書等は再び折り畳む等してキャップに収納係止させておけば良い。また、キャップを外した状態で内容物を取り出し或いは注出することが出来る。
【００１２】
図５及び図６は、第２の手段の一実施例を示し、本実施例の容器１は、容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端一部より中央に向かって弾性係止板13を延設するとともに、該係止板先端部を下方へ凹ませて形成した押圧部13a により収納した書類を圧接係止させる如く構成した係止部材Ｂとからなるキャップ8aを設けている。
【００１３】
図７及び図８は、第３の手段の一実施例を示し、本発明の容器１は、上記第２の手段の容器と同様構成のキャップ本体Ａを有し、容器体口頚部３外周に嵌合させた装着筒４上端より頂壁５を延設するとともに、頂壁５上方に上端開口の凹部形状をなす書類収納用の収納部ａを設けたキャップ本体Ａと、前記収納部を形成する側壁11内面に嵌合させた嵌合筒12上端縁部に取り出し口ｂ付き係止頂板14を一体に架設してなる係止部材B1とからなるキャップ8bを設けている。
【００１４】
図７に示す実施例は、取り出し口ｂを半円形状に形成した例を、また、図８に示す実施例は、二つの取り出し口ｂ，ｂを形成した例をそれぞれ示す。
図９及び図１０は、第４の手段の一実施例を示し、本実施例の容器１は、容器体口頚部３外周に嵌合させた装着筒４上端より延設した頂壁５中央を下方へ凹ませて書類収納用の収納部ａを形成するとともに、該収納部を形成する側壁11上端一部に薄肉ヒンジ15を介して一端を回動可能に連結した可動係止板16の他端を、対向する側壁内面上端部に突設した係止突条17下面に離脱可能に係止させたキャップ8cを設けている。
尚、上記各部材は合成樹脂により形成すると良い。
【００１５】
【発明の効果】
以上説明した如く本発明商品包装用容器は、既述構成としたことにより、従来のこの種容器の如き外箱を使用しないで効能書，説明書等の書類を収納でき、その為無駄な廃棄物を出さずに済み昨今のゴミ処理事情に適した容器である。
また、収納部はキャップの一部として構成しているため、効能書等をコンパクトに収納でき、容器全体の大きさを特別大きくすることなく形成できる利点もある。
【００１６】
第１の手段の容器では、書類を装着筒と周壁との間の収納部に収納させる如く構成しているため、水が掛かる等の不都合がない。
【００１７】
また、第２の手段乃至第４の手段の容器では、書類の一部を露出させることができるため、説明書等の存在を明確に把握でき、また、その着脱もキャップを外すことなく行える便利がある。
【００１８】
また、第１の手段及び第４の手段の容器では、キャップを合成樹脂の一体成形により形成することができ、製造が容易に行える利点もある。
更に、第２の手段及び第３の手段の容器では、キャップを２部材で構成しているため、それぞれの色を別の色で形成しておけば、他種類のキャップを容易に形成することができる利点もある。
【図面の簡単な説明】
【図１】第１の手段の一実施例を示す要部縦断面図である。
【図２】同実施例のキャップの要部底面図である。
【図３】第１の手段のキャップの他の例を示す半断面図である。
【図４】第１の手段のキャップの更に他の例を示す半断面図である。
【図５】第２の手段の一実施例を示す要部縦断面図である。
【図６】同実施例の平面図である。
【図７】第３の手段の一実施例を示す平面図である。
【図８】第３の手段の他の実施例を示す平面図である。
【図９】第４の手段の一実施例を示す要部縦断面図である。
【図１０】同実施例のキャップの斜視図である。
【符号の説明】
２…容器体，３…口頚部，４…装着筒，５…頂壁，６…周壁，７…係止突片，
８，8a，8b，8c…キャップ，11…側壁，12…嵌合筒，13…弾性係止板，
13a …押圧部，14…係止頂板，16…可動係止板，Ａ…キャップ本体，
Ｂ，B1…係止部材
【図１】
0003780434.tif 000002
【図２】
0003780434.tif 000003
【図３】
0003780434.tif 000004
【図４】
0003780434.tif 000005
【図５】
0003780434.tif 000006
【図６】
0003780434.tif 000007
【図７】
0003780434.tif 000008
【図８】
0003780434.tif 000009
【図９】
0003780434.tif 000010
【図１０】
0003780434.tif 000011